(57)【特許請求の範囲】
【請求項１】
内部にダクト部が収容された筐体と、
この筐体の１つの面に形成され、前記ダクト部と連通する開口部と、
前記ダクト部に配置された送風部と、
前記ダクト部内部に設けられ、前記送風部の背面に当接して前記送風部の移動を規制する拘束部材と、
前記送風部の正面に内面が対向して前記開口部に着脱可能な送風部カバーと、
前記送風部カバーの内面に設けられ、前記送風部カバーが前記開口部の所定の位置に取り付けられた状態において、前記送風部が前記開口部側へ移動しようとしたとき前記送風部を前記拘束部材側へ押し返すように支持する支持部材と、
前記ダクト部内に設けた弾性部材とを、
有し、前記弾性部材が、前記弾性部材と対向する前記ダクト部の対向壁面に向けて前記送風部を押圧し、前記弾性部材の押圧方向は、前記開口部と前記拘束部材とを繋ぐ方向と直交している電気機器。
【請求項２】
請求項１記載の電気機器において、前記支持部材は、前記開口部の内側に進入して前記送風部を支持する電気機器。
【請求項３】
請求項１又は２記載の電気機器において、前記ダクト部の前記開口部は、１つの壁に形成された係合孔と、前記１つの壁に対向する他の壁に形成された軸孔とを有し、
前記送風部カバーは、前記ダクト部の前記開口部の１つの壁を外側から覆う第１の鍔部と前記開口部の他の壁と外側から覆う第２の鍔部とを有し、
前記送風部カバーの第１の鍔部の内面に前記係合孔に係合可能な係合部と、前記第２の鍔部の内面に前記軸孔に挿入可能な回転軸部とが形成された電気機器。
【請求項４】
請求項３記載の電気機器において、前記回転軸部は、前記第２の鍔部の内面から後方に向けて下方に突出形成された段差部と、この段差部後方に連設され前記段差部よりさらに下方に突出した回転軸とを有する電気機器。
【請求項５】
請求項３記載の電気機器において、前記送風部を前記ダクト内部の前記拘束部材で位置規制される位置に配置し、前記送風部カバーをその内面が前記送風部に対向する方向に向けて、前記送風部カバーの前記回転軸を、前記開口部の前記軸孔に対して外側から斜め方向に挿入し、前記送風部カバーを前記回転軸を中心に回転させ、前記送風部カバーの前記係合部を、前記開口部の前記係合孔に外側から係合させることによって、前記送風部カバーを前記ダクト部の前記開口部に取り付けたとき、前記送風部カバーの前記支持部材が前記送風部を支持できるよう前記開口部内部に進入する電気機器。
【請求項６】
請求項３又は４記載の電気機器において、前記係合部が形成された前記第１の鍔部は、前記送風部カバーの下部に設けられ、前記係合孔は、前記開口部の下部に設けられ、前記回転軸が形成された前記第２の鍔部は、前記送風部カバーの上部に設けられ、前記軸孔は、前記開口部の上部に設けられている電気機器。
【請求項７】
請求項３乃至５いずれか記載の電気機器において、前記送風部カバーの前記第１の鍔部は、前記係合部を挟んだ両側に切り込みを有する電気機器。
【請求項８】
請求項１乃至６いずれか記載の電気機器において、前記支持部材は、前記送風部の少なくとも４隅に対応して前記送風部カバーの内面に設けられている電気機器。
【請求項９】
請求項７記載の電気機器において、前記支持部材は、前記係合部の近傍にも設けられ、前記支持部材と、前記送風部カバーの前記第１の鍔部とによって前記開口部の前記１つの壁が挟持されている電気機器。
【発明の詳細な説明】
【技術分野】
【０００１】
本発明は、電気機器に関し、特に送風部を有するものに関する。
【背景技術】
【０００２】
電気機器には、内部に有する発熱部品を冷却するために、送風部を備えたものがある。そのような電気機器の一例が特許文献１に開示されている。特許文献１の技術では、筐体の背面壁に矩形の孔が形成され、その孔から筐体内部に外観が概略直方体状の送風部が収容されている。この孔を覆うように、送風部カバーが筐体に取り付けられている。その取り付けは、送風部カバーに形成した係止爪を、筐体に形成した係止部に係止させることによって行われている。
【先行技術文献】
【特許文献】
【０００３】
【特許文献１】特開２００６−３４４６６１号公報
【発明の概要】
【発明が解決しようとする課題】
【０００４】
特許文献１の技術では、記載されていないが、送風部は、筐体内に収容された状態でネジによって筐体に固定されていると考えられる。従って、筐体内に送風部を収容して、その送風部を筐体にネジで固定した上で、送風部カバーを筐体に取り付けねばならない。そのため、取り付け作業が面倒である上に、送風部の保守点検作業も面倒である。
【０００５】
本発明は、送風部及び送風部カバーの取り付け作業及び送風部の保守点検が容易な電気機器を提供することを目的とする。
【課題を解決するための手段】
【０００６】
本発明の一態様の電気機器は、内部にダクト部が収容された筐体を有している。この筐体の１つの面に形成された前記ダクト部と連通する開口部が設けられており、開口部からダクト部内に送風部が配置されたとき、前記ダクト部内部で送風部に当接して前記送風部の移動を規制する拘束部材が設けられている。前記送風部にその内面が対向して前記ダクト部の前記開口部に着脱可能な送風部カバーと、この送風部カバーが前記開口部の所定の位置に取り付けられた状態において、前記送風部が前記開口部側へ移動しようとしたとき前記送風部を前記拘束部材側へ押し返すように支持する支持部材を有している。前記ダクト部内に設けた弾性部材が、前記弾性部材と対向する前記ダクト部の対向壁面に向けて前記送風部を押圧している。前記弾性部材の押圧方向は、前記開口部と前記拘束部材とを繋ぐ方向と直交している。このように、送風部カバーの内面に設けられた支持部材と拘束部材で、送風部を挟持することによって送風部を固定することができる。従って、送風部カバーを取り付けることによって、同時に送風部の固定を行うことができ、送風部の取り付け作業が容易になる。また、送風部カバーを外すと、自動的に送風部の固定も解除されるので、保守点検作業が容易になる。
【０００７】
前記送風部カバーの内面に設けられた前記支持部材は、前記送風部カバーが前記開口部に取り付けられたとき、前記開口部の内側に進入して前記送風部を支持する。このように構成すると、送風部カバーを開口部に取り付けたとき、支持部材が開口部内部で送風部を拘束部材側に支持して送風部を固定する。従って、送風部を配置する位置を、開口部から奥まったダクト部内の任意の位置に選択でき、設計の自由度が増加する。  
【０００８】
前記ダクト部の前記開口部は、１つの壁に形成された係合孔と、前記１つの壁に対向する他の壁に形成された軸孔とを有し、前記送風部カバーは、前記ダクト部の前記開口部の１つの壁を外側から覆う第１の鍔部と前記開口部の他の壁と外側から覆う第２の鍔部とを有している。前記送風部カバーの第１の鍔部の内面に前記係合孔に係合可能な係合部と、前記第２の鍔部の内面に前記軸孔に挿入可能な回転軸とが形成されている。このような構成にすると、第１の鍔部と第２の鍔部が開口部を外周側から挟み込むようにして送風部カバーが取り付けられるため、開口部の内側に、送風部カバーを取り付けるための構造が不要になり、開口部を筐体ぎりぎりの大きさまで大きくでき、開口部からダクト部内に挿入される送風部も大型のものが選択可能になるなど、設計の自由度が増加する。また、工具やネジを用いなくても容易に送風部カバーの着脱ができる。
【０００９】
前記送風部を前記ダクト部内部の前記拘束部材で位置規制される位置に配置し、前記送風部カバーの内面を前記送風部に対向する方向に向けて、前記送風部カバーの前記回転軸を、前記開口部の前記軸孔に対して外側斜め方向から挿入する。この状態から前記送風部カバーを前記回転軸を中心に回転させて、前記送風部カバーの前記係合部を、前記開口部の前記係合孔に外側から係合させることによって、前記送風部カバーを前記ダクト部の前記開口部に取り付けできる。また、開口部に送風部カバーが取り付けるとき、前記送風部カバーの前記支持部材が前記開口部からダクト部の内部に進入し、送風部を支持することができる。このように構成すると、送風部を配置する位置を、ダクト部内部の開口部から奥まった任意の位置に選択でき、工具やネジ等が必要なく、片手でも容易に送風部カバーを取り付けることができる。
【００１０】
前記係合部が形成された前記第１の鍔部を、前記送風部カバーの下部に設け、前記係合孔は、前記開口部の下部に設けられる。前記回転軸が形成された前記第２の鍔部は、前記送風部カバーの上部に設けられ、前記軸孔は、前記開口部の上部に設けられる。このように構成すると、送風部カバーを開口部の斜め上側から被せて軸孔に回転軸を挿入して前記回転軸を中心に回転させて、開口部の下部に係合させて取り付けるため、少ない動作で送風部カバーを取り付けることができる。
【００１１】
前記送風部カバーの前記第１の鍔部は、前記係合部の両側に切り込みを有する。切り込みがあることで、係合部は第１の鍔部に対して撓むことができ、係合部が係合孔に係合する力に抗して爪を係合孔から外すことで、送風部カバーの開口部への固定が解除できる。
【００１２】
前記支持部材は、前記送風部の少なくとも４隅に対応して送風部カバーの内面に設けられたものとする。このように構成すると、送風部の４隅を安定して前記拘束部材側に支持することができる。
【００１３】
前記支持部材は、前記係合部の近傍にも設けられ、前記支持部材と、前記送風部カバーの前記第１の鍔部とによって前記開口部の前記１つの壁が挟持されているものとしてもよい。係合部の両側に切り込みを形成することで、第１の鍔部の切り込みの近傍の強度が若干弱くなるが、切り込みの近傍でも、開口部の１つの壁が第１の鍔部と前記支持部材とによって挟持されるので、送風部が動作しているときでも、送風部カバーが、がたつくことがない。
【発明の効果】
【００１５】
以上のように、本発明によれば、送風部及び送風部カバーの取り付け作業が容易になる上に、送風部の保守点検作業が容易になる。
【図面の簡単な説明】
【００１６】
【図１】本発明の第１の実施形態の電気機器の部分省略縦断正面図である。
【図２】図１の電気機器の部分省略縦断側面図及び部分省略横断平面図である。
【図３】図１の電気機器において使用する送風部取付部の斜視図である。
【図４】図１の電気機器において使用する送風部カバーの正面図、縦断側面図及び背面図である
【図５】図１の電気機器において使用する送風部カバーの取り付け図である。
【図６】図１の電気機器の分解斜視図である。
【図７】図１の電気機器の図６と反対側から見た分解斜視図である。
【図８】図１の電機機器において使用する板ばねの正面図及び側面図である。
【図９】本発明の第２の実施形態の電気機器の分解斜視図である。
【図１０】本発明の第３の実施形態で使用する板ばねの正面図である。
【発明を実施するための形態】
【００１７】
本発明の第１の実施形態の電気機器は、例えば電気めっき用電源装置であって、図１及び図２に示すように、例えば樹脂製又は金属製の筐体１を有している。筐体１は、概略直方体状に形成され、概略長方形状の底壁４と２つの平行に配置された側壁１０、１０と背面壁（図示せず）及び正面壁６によって構成され、図２に示す蓋体３を有している。背面壁と正面壁６は、互いに対向して底壁４の長手縁に設けられており、側壁１０は底壁４の両側に、背面壁と正面壁６と直角に位置するように設けられている。筐体１の内部は、側壁１０、１０の間に設けられている区画板５によって本体２とダクト部８の２つの区画に隔てられている。本実施形態では、蓋体３はダクト部８と本体２の両方の区画を含む筐体１の上面全体を正面壁６から背面壁に亘って覆うよう構成されている。ダクト部８は正面壁６と背面壁に夫々吸気口と排気口を有し、筐体１に蓋体３を被せた状態で、側壁１０と区画板５と底壁４及び蓋体３とで筒状に形成されている。底壁４の吸気口側端縁の左右方向の中央部には、後述する送風部カバー３０を係合するための係合孔４６が穿孔され、底壁４が吸気口の位置でヘミング曲げによって上側に折り曲げて曲げ部４ａが形成されている。曲げ部４ａは係合孔４６の上面に配置され、ダクト部８内を上から見ると係合孔４６が曲げ部４ａによって隠されており、筐体１を下から見たときに係合孔４６が見えるようにされている。曲げ部４ａによって底壁４の強度を増すことができるし、後述する送風部１４を取り付ける際に、作業者が手を怪我することもない。
【００１８】
ダクト部８内に送風部取付部１２が取り付けられている。送風部取付部１２は、図３に示すように、天板９、側板１８、１８を有し、概略枠状に形成されている。側板１８、１８はダクト部８を構成する側壁１０と区画板５に平行に形成され、底壁４の曲げ部４ａを挟んでダクト部８の内側の吸気口に一致する位置に固定されている。また、送風部取付部１２の正面から最も奥側には、間隔を開けて互いに向き合う方向に側板１８、１８が直角に折り曲げられて拘束部材２０が形成されている。天板９は底壁４と並行に形成されており、吸気口から外部に突出するように正面壁６よりも正面側に幾分か張り出した張り出し部９ａが設けられている。従って、この張り出し部９ａは、蓋体３の正面端よりも正面側に張り出している。また、張り出し部９ａの左右両端には後述する送風部カバー３０を取り付けるための軸孔４４が形成されている。そして、底壁４、送風部取付部１２の天板９、側板１８、１８によって、開口部７が構成されている。送風部取付部１２の高さ、すなわち天板９の高さは、図２（ａ）に示すように、送風部１４よりも若干高く設定されている。また、送風部取付部１２の奥行き寸法は送風部１４の奥行き寸法よりも大きく設定されている。また、送風部取付部１２の天板９には弾性手段、例えば板ばね２２を取り付けるための窓２５、２５が前後方向に間隔をあけて形成されている。天板９に取り付けられる板ばね２２は、図８（ａ）、（ｂ）に示すように凸に湾曲させた概略長方形状に形成され、その両短辺の中央には、板ばね２２よりも小さい幅の長方形状の取付片２３、２３が形成されている。取付片２３、２３が、送付部取付部１２の天板９に正面及び背面方向に沿って形成した２つの窓２５、２５に挿通されて、板ばね２２は天板９の内面側に取り付けられる。
【００１９】
ダクト部８内の送風部取付部１２内に、送風部１４が収容されている。送風部１４は、正面が底壁４の曲げ部４ａよりも奥に配置され、その背面が送風部取付部１２の拘束部材２０に当接するように、送風部取付部１２内に取り付けられている。尚、本実施形態で用いられる送風部１４は、図６にも示すように、ファン１５を収容した円筒状の胴部１４ａに、底壁４、側壁１０、区画板５及び天板９と並行な平面部１４ｂを設けたものである。  図２に示すように、送風部１４の背面が拘束部材２０に当接して拘束されることから、送風部１４はダクト部８内で、それ以上奥側に移動することが規制されている。
【００２０】
送風部１４の背面が拘束部材２０、２０に当接している状態において、送付部取付部１２の天板９の内面側に取り付けられた板ばね２２によって、送風部１４の平面部１４ｂが押圧され、底壁４側に送風部１４は押圧されている。
【００２１】
板ばね２２の凸の部分は広い面積に設定されており、開口部７から送風部１４を拘束部材２０の近くの位置まで挿入したとき、板ばね２２の凸の部分が送風部１４の胴部１４ａに形成された平面部１４ｂに接触し、板ばね２２の凸の部分が広い面積を有することから、送風部１４を底壁４側に押圧しながら送風部取付部１２の内部に引き込むような押圧力が作用し、送風部１４を正しい取り付け位置に誘導する。それ以上送風部１４が奥に移動しようとしても送風部１４の背面が拘束部材２０に当接するので、送風部１４が奥に入りこむことはない。送風部１４が正しい位置に配置されると、その位置で板ばね２２の押圧力が送風部１４を所定の位置に留めるよう、底壁４の方向、即ち真下に作用するため、送風部１４を仮止めすることができる。また、底壁４の曲げ部４ａが送風部１４の正面下部に対向するため、送風部１４が開口部７から簡単には落下しない。従って、送風部１４が移動して後述する送風部カバー３０の取り付け作業を阻害することはない。
【００２２】
なお、ダクト部８の背面壁には、ファン１５によってダクト部８内に導入された風を外部に導出するための排気口（図示せず）が多数形成されている。ダクト部８内には、図示していないが、送風部１４からの風によって空冷される要冷却部品、例えばめっき用電源装置において使用する半導体素子、コイル、コンデンサ及び変圧器等が取り付けられている。
【００２３】
開口部７には、送風部カバー３０が取り付けられる。送風部カバー３０は、図４（ａ）乃至（ｃ）に示すように、その外面３５ｂからそれぞれ後方に伸びる第１の鍔部３２、第２の鍔部３１を有する枠状で、複数の横桟３６が形成されて冷却風が通過できるようになっている。横桟３６は、上下方向に間隔をおいて配置され、この列が３列横方向に配置されている。また、送風部カバー３０の内面３５ａの横桟３６が配置されていない部分に上部エリア３３と下部エリア３４が設けられており、上部エリア３３の内面から後方に向けて突出する支持部材４８が配置され、下部エリア３４の内面から後方に向けて突出する支持部材５２、５４が配置されている。支持部材４８、５２、５４の先端面は、送風部１４の前面と平行に形成されている。送風部カバー３０は、例えば合成樹脂製である。
【００２４】
この送風部カバー３０の第１の鍔部３２の後縁の中央には、図４（ｃ）に示すように切り込み３９が形成されて、図４（ｂ）に示すようにアーム状の係合部４０が形成されている。係合部４０は、送風部カバー３０の内面から斜め下方後方に伸びて水平に伸延し、その先端に上方に向けて爪が形成されている。
【００２５】
また、同図（ｃ）に示すように送風部カバー３０の第２の鍔部３１の内面の両端に近い位置に、回転軸部４２が形成されている。回転軸部４２は図４（ｂ）に示すように、送風部カバー３０の内面から後方に向けて、下方に突出した段差部４２ｂと、この段差部４２ｂの後端に、さらに下方に突出した回転軸４２ａが形成されている。
【００２６】
図２（ａ）に示すように、係合部４０と段状の回転軸部４２を利用して、送風部カバー３０は、開口部７に取り付けられている。送風部カバー３０を開口部７に取り付けたとき、第２の鍔部３１が送風部取付部１２の天板９の上側に位置し、第１の鍔部３２が底壁４の下側に配置され、支持部材４８、５２、５４が開口部７からダクト部８内部に進入し、支持部材４８、５０が送風部１４の正面を支持可能な位置関係にある。
【００２７】
図６に、本実施形態の電気機器を背面側から見た状態を、図７に正面側から見た状態をそれぞれ示している。図のように開口部７から送風部１４を挿入すると、送風部１４が、板ばね２２の付勢力により斜め下方に押圧されながらダクト部８の奥側に移動するよう誘導されて、拘束部材２０の位置に配置される。送風部１４が送風部取付部１２の正しい位置に配置された状態では、図５に示すように、送風部１４は天板９よりも低い位置で、板ばね２２により真下に押圧されて、上下左右のがたつきが抑制されている。その後、開口部７の正面側に送風部カバー３０が取り付けられるようにされている。
【００２８】
送風部カバー３０の開口部７への取り付けは、図５に示すように、送風部カバー３０の第２の鍔部３１を送風部取付部１２の天板９の張り出し部９ａに近い位置に位置させ、送風部カバー３０の第１の鍔部３２が底壁４から離れた斜めの体制に配置し、送風部カバー３０の段状の回転軸部４２、４２の回転軸４２ａ、４２ａを天板９の張り出し部９ａの軸孔４４、４４に斜め上方から挿入し、送風部カバー３０の第１の鍔部３２が底壁４に近づく方向に、回転軸４２ａ、４２ａを支点として回転させる。そして送風部カバー３０の第１の鍔部３２の係合部４０が底壁４の下側にくると、係合部４０が底壁４に押されて下に撓みながら移動する。さらに送風部カバー３０を回転させると、係合部４０が底壁４に形成された係合孔４６に係合し、送風部カバー３０が開口部７に取り付けられる。このとき、回転軸部４２の段差部４２ｂが天板９の上に位置することで、回転軸４２ａが天板９に挿入されて入るが、回転軸４２ａが天板９から離間して浮いた高さに保持されている。送風部カバー３０を開口部７から取り外す場合には、係合部４０をその係合力に抗して底壁４の下方側に撓ませて、係合孔４２から係合部４０を離脱させることで開口部７への固定を解除させ、回転軸４２ａ、４２ａを支点にして送風部カバー３０を取り付けるのと反対方向に回転させる。このように送風部カバー３０の開口部７への取付及び取り外しが工具やネジを使用する必要がなく、片手でも容易にできる。ここで、送風部カバー３０を外す際に、回転軸部４２の段差部４２ｂによって、回転軸４２ａが天板９から離間した高さにあるため、回転軸４２ａの回転が天板９に阻害されることがなく、その高さ位置のまま直ちに送風部カバー３０を回転軸４２ａを中心に回転開始することができ、取り外し作業を効率よく行うことができる。
【００２９】
図４（ｃ）に示すように、送風カバー３０の内面３５ａの上部エリア３３に位置する支持部材４８、４８は、段状の回転軸部４２、４２の近傍で、段状の回転軸部部４２、４２よりもカバー側壁に近い位置に、図４（ｂ）に示すように、第２の鍔部３１の後縁よりも後方に先端が突出するように形成されている。これら支持部材４８、４８に対応するように、カバー内面３５ａの近傍の下部エリア３４のカバー側壁に近い位置にも支持部材５０、５０が形成されている。支持部材５０、５０も、第１の鍔部３２の後縁よりも後方に先端が突出している。
【００３０】
これら支持部材４８、４８、５０、５０は、送風部カバー３０を開口部７に取り付けたときに、図１及び図４（ｃ）に示すように送風部１４の正面の少なくとも４隅に対応する位置に設けられており、これら支持部材４８、４８、５０、５０の先端がダクト部８に進入した位置で送風部１４を拘束部材２０、２０側に開口部７の正面側から支持している。このようにしているため、外部から振動などが加えられて、送風部１４が開口部７側に移動しようとしても、支持部材４８、５０がこれを元の拘束部材２０で拘束される位置に押し返すように支持する。また、前述のように、送風部１４は板ばね２２による押圧力も受けているため、容易に移動することがないようにされている。支持部材がダクト部８内に入り込んで、ダクト部８内に収容された送風部１４の４隅を支持することができるため、送風部１４を開口部７からダクト部８内の奥行き方向に配置する位置の設計の自由度が増し、安定して送風部１４を支持することができる。拘束部材２０と支持部材４８、４８、５０、５０によって送風部１４を正面側と背面側の両側から支持しているので、送風部１４を開口部７にネジ止めをしなくても、送風部カバー３０の取り付けを行うと自動的に送風部１４を固定することができ、送風部１４の取り付け作業が工具やネジを使用することなく容易になる。また、送風部カバー３０を外すと、自動的に送風部１４の固定も解除されるので、送風部１４の取り外しが容易になるので、保守点検作業が容易になる。また、送風部カバー３０は、開口部７に、第１の鍔部３２が底壁４の下側から、第２の鍔部３１が天板９の上側から、夫々開口部を外周側から挟み込むようにして取り付けられるため、開口部７の内周側に、送風部カバー３０を取り付けるための構造が不要なため、開口部７を筐体１のぎりぎりの位置まで大きくしても送風部１４を固定することができ、大型の送風部を選択できるなど設計の自由度が増加し、冷却効果も大きくすることができる。
【００３１】
また、開口部７に送風部カバー３０を取り付けた状態では、支持部材４８、４８は、図２（ａ）に示すように開口部７からダクト部８内部に進入した位置にあり、支持部材４８、４８の上面と、第２の鍔部３１とによって天板９を挟持している。また、支持部材５０、５０は開口部７からダクト部８内部に進入した位置にあり、支持部材５０の下面と第１の鍔部３２とによって底壁４を挟持している。このように、開口部７を構成する天板９と底壁４を、送風部カバー３０で挟んでいるので、送風部カバー３０に上下方向の力が働いてもがたつきを押さえることができる。
【００３２】
本実施形態では、更に、送風部カバー３０の内面３５ａの下部エリア３４に形成された支持部材５０、５０の間に、図４（ｃ）に示すように、係合部４０を形成するための切り込み３９の両側の近傍にも、上述の支持部材５０、５０と同一形状の支持部材５２、５２、５４、５４が設けられている。第１の鍔部３２の中央部分は、切り込み３９を形成したことにより強度が低下しているが、これら支持部材５２、５２、５４、５４によっても開口部７を構成する底壁４を挟み込むことができるので、より強固に安定して送風部カバー３０を開口部７に固定することができる。
【００３３】
このように送風部カバー３０によって、開口部７の一部が挟み込まれているので、送風部カバー３０を開口部７に取り付けた状態において、送風部カバー３０が、がたつくことはない。また、送風部１４は、ダクト部８内の送風部取付部１２にねじなどで取り付けられておらず、送風部カバー３０に設けた支持部材４８、５０、５２、５４と拘束部材２０、２０により挟持固定される。さらに、天板９に設けた弾性手段である板ばね２２によって、平面部１４ｂが押圧されて底壁４側に押圧されて、送風部１４が位置保持される。このようにして、送風部１４は、ねじなどを用いずに固定されているので、送風部カバー３０を開口部７から取り外すだけで、送風部１４をダクト部８内の送風部取付部１２から取り外すことができ、送風部１４の保守点検が容易に行える。
【００３４】
第２の実施形態を図９に示す。この実施形態は、複数の板ばね２２、例えば２つの板ばね２２を、送風部取付部１２の天板９にその長さ方向に間隔をおいて配置したものである。このように構成すると、第１の実施形態よりも安定して強固に送風部１４をダクト部８内に固定することができる。他の構成は、第１の実施形態と同様であるので、同等部分には同一符号を付して、その説明を省略する。
【００３５】
第３の実施形態に使用する板ばね２２ａを図１０に示す。第３の実施形態は、第１及び第２の実施形態における板ばね２２を、図１０に示すように幅広の板ばね２２ａに変更したものである。このように幅広の板ばね２２ａを使用すると、送風部１４に形成された平面部１４ｂへの板ばね２２ａの接触面積が増加するので、より強固に送風部１４をダクト部８に取り付けることができる。他の構成は、第１または第２の実施形態と同様であるので、詳細な説明は省略する。
【００３６】
上記の両実施形態では、送風部取付部１２の側板を折り曲げて拘束部材２０を形成したが、ダクト部８内の送風部１４を配置したい位置に、送風部１４の背面に当接するよう、側壁１０と区画板５の間を繋ぐ壁に通気口を設けたり、側壁１０、区画板５、底壁４、天板９から突出する凸部を形成し、これらの何れか一つ又は組み合わせを拘束部材として使用することもできる。また、本例では合計８つの支持部材を設けたが、その設置場所及び数を任意に変更することができる。但し、少なくとも送風部１４の正面の４隅に対応するように支持部材を設けることが、送風部１４の安定した固定の観点から望ましい。また、係合部４０を送風部カバー３０の第１の鍔部３２側に設け、回転軸部４２、４２を送風部カバー３０の第２の鍔部３１設けたが、逆に第１の鍔部３２側に回転軸部４２、４２を設け、第２の鍔部３１に係合部４０を設けることもできる。或いは送風部カバー３０を開口部７に対して横方向に開くように取り付けることもできる。さらに開口部７を底壁４と送風部取付部１２の天板９と側板１８、１８で構成する例を示したが、筒状のダクト部８を用いて、筒状のダクト部８の端部軸孔と係合孔を設けて開口部７としてもよい。
【符号の説明】
【００３７】
１  筐体
７  開口部
１４  送風部
２０  拘束部材
３０  送風部カバー
４８、５０  支持部材
【図１】
0006553381.tif 000002
【図２】
0006553381.tif 000003
【図３】
0006553381.tif 000004
【図４】
0006553381.tif 000005
【図５】
0006553381.tif 000006
【図６】
0006553381.tif 000007
【図７】
0006553381.tif 000008
【図８】
0006553381.tif 000009
【図９】
0006553381.tif 000010
【図１０】
0006553381.tif 000011